(57)【要約】【課題】長尺グロメットにワイヤーハーネスを挿通する際にワイヤーハーネスにコネクタを着けた状態で長尺グロメットを挿通でき、かつワイヤーハーネスの局部的な圧迫やグロメット係止手段におけるグロメットの食い込みやグロメット挿入治具表面の滑り易さと耐磨耗性を改善した長尺グロメット挿通装置及びそれを用いた長尺グロメット挿通方法を提供する。【解決手段】グロメット挿入治具が少なくともコネクタ収納部側の断面形状が半円状又はＵ字状のストッパを備え、またはストッパに替えてグロメット挿入治具のコネクタ収納部の後端部に内向きにフランジを設け及び／又はグロメット挿入治具のコネクタ収納部の後半部を円錐状に形成し、さらに挿入治具表面を鏡面仕上げしてグロメットの挿通を円滑化し、グロメット係止手段は係止片先端部をグロメット挿入治具表面の粗面化を生じない素材とし、さらに係止手段におけるグロメットの食い込みを生じない形状とする。【選択図】図１
2008044524.tif 000002
【特許請求の範囲】
【請求項１】
グロメット挿入治具並びにグロメット係止手段と該グロメット挿入治具の牽引手段とを備えた牽引装置とで構成されるグロメット挿通装置において、前記グロメット挿入治具が、一端にグロメット内径より小さい外径を有するロッド状のグロメット挿入部と、他端にワイヤーハーネスのコネクタ部を収納する空間を有するコネクタ収納部と、前記ロッド状のグロメット挿入部から前記コネクタ収納部に向かって外径が漸次増大するテーパー部とからなるグロメット挿入治具であって、前記グロメット挿入治具は素材がステンレス鋼であり治具表面を鏡面仕上げ処理したものであることを特徴とする長尺グロメット挿通装置。
【請求項２】
前記グロメット挿入治具のコネクタ収納部にコネクタの脱落防止用のストッパを設け、該ストッパの少なくともコネクタ収納部側の断面形状が半円状若しくはＵ字状であることを特徴とする請求項１に記載の長尺グロメット挿通装置。
【請求項３】
前記ストッパの横断面形状が略円形であることを特徴とする請求項２に記載の長尺グロメット挿通装置。
【請求項４】
前記グロメット挿入治具のコネクタ収納部の後半部を漸次細径化する円錐状に形成したことを特徴とする請求項１に記載の長尺グロメット挿通装置。
【請求項５】
前記グロメット挿入治具のコネクタ収納部の後端部に内向きにフランジを設けたことを特徴とする請求項１又は４に記載の長尺グロメット挿通装置。
【請求項６】
前記グロメット挿入治具のコネクタ収納部の一部が開閉可能であることを特徴とする請求項４又は５に記載の長尺グロメット挿通装置。
【請求項７】
前記グロメット係止手段はグロメット挿入治具の外径に応じて開口寸法が変化しかつスプリング等の弾性体によって閉方向に付勢された２以上のグロメット係止片を備え、当該各々の係止片はグロメット挿入治具の外径に応じて前記開口寸法が変化する際にグロメット挿入治具の横断面中心軸に対して放射状に移動することを特徴とする請求項１に記載の長尺グロメット挿通装置。
【請求項８】
前記係止片はグロメット挿入治具との接触部にグロメット挿入治具より軟質な先端チップを取付けたものであることを特徴とする請求項７に記載の長尺グロメット挿通装置。
【請求項９】
前記先端チップがプラスチック製であることを特徴とする請求項８に記載の長尺グロメット挿通装置。
【請求項１０】
前記請求項１乃至９の何れか１項に記載の長尺グロメット挿通装置を用いてグロメットを挿通する方法。
【請求項１１】
グロメット挿入治具の表面に滑剤を塗布併用することを特徴とする請求項１０に記載のグロメット挿通方法。
【請求項１２】
一端にグロメット内径より小さい外径を有するロッド状のグロメット挿入部と、他端にワイヤーハーネスのコネクタ部を収納する空間を有するコネクタ収納部と、前記ロッド状のグロメット挿入部から前記コネクタ収納部に向かって外径が漸次増大するテーパー部とからなるグロメット挿入治具において、素材がステンレス鋼であり治具表面を鏡面仕上げ処理したものであることを特徴とする長尺グロメット挿入治具。
【請求項１３】
前記コネクタ収納部にコネクタの脱落防止用のストッパを設け、該ストッパの少なくともコネクタ収納部側の断面形状が半円状若しくはＵ字状であることを特徴とする請求項１２に記載の長尺グロメット挿入治具。
【請求項１４】
前記ストッパの横断面形状が略円形であることを特徴とする請求項１３に記載の長尺グロメット挿入治具。
【請求項１５】
前記コネクタ収納部の後半部を漸次細径化する円錐状に形成したことを特徴とする請求項１２に記載の長尺グロメット挿入治具。
【請求項１６】
前記コネクタ収納部の後端部に内向きにフランジを設けたことを特徴とする請求項１２又は１５に記載の長尺グロメット挿入治具。
【請求項１７】
前記コネクタ収納部の一部が開閉可能であることを特徴とする請求項１５又は１６に記載の長尺グロメット挿入治具。
【請求項１８】
前記請求項１２乃至１７の何れか１項に記載の長尺グロメット挿入治具を用いてグロメットを挿通する方法。
【請求項１９】
グロメット挿入治具の表面に滑剤を塗布併用することを特徴とする請求項１８に記載のグロメット挿通方法。
【発明の詳細な説明】
【技術分野】
【０００１】
この発明は、車両のドア等の開閉部等に用いる長尺のグロメットにワイヤーハーネス等を挿通する挿入治具並びに長尺グロメット挿通装置およびそれらを用いたグロメット挿通方法に関する。
【背景技術】
【０００２】
自動車等の車両の電装品は交通情報技術の進歩に伴い非常に高度かつ複雑化し、情報等を伝達する配線の接続部には高い信頼性が求められるようになった。このためコネクタの信頼性向上とともに車体等のワイヤーハーネス貫通部には防水、防音、ワイヤーハーネスの損傷防止等のため配線用グロメットが多用されてようになった。また、電装品の多様化・高度化により、ドア等の開閉部にも各種電装品が配設されるようになり、車体とドア等の開閉部には従来の配線用グロメットより可ぎょう性が高い、蛇腹状の中間部を有する長尺グロメットが多用されるようになった。
【０００３】
従来、ワイヤーハーネスを配線用グロメットに挿通させる器具としては、複数の可動板に取付けた複数のピンにグロメットを挿入し、前記可動板を放射状に移動させてピンの間隔を拡げてグロメット胴部を拡張し、この拡張した中にワイヤーハーネスを通す装置が一般的であった。（例えば特許文献１参照。）
しかしながら、これら従来の装置では、グロメットの胴部を拡張するためのピンが片持ち構造であるため、上述した細長い蛇腹状の中間部を有するグロメットに対しては、長いピンを用いてもピンの先端側がグロメットの収縮力に負けて開かず、十分な拡張が出来ないため上述の細長い蛇腹状の中間部を有するグロメットには適用できなかった。
【０００４】
このため上述した長尺グロメットをワイヤーハーネスに挿通させる場合は、手作業に頼らざるを得なかった。具体的には、配線を挿通させる治具を用いて、端子を取付けただけの状態の配線を挿通させ、その後に端子をコネクタに挿入する手作業を行っていた。（例えば特許文献２参照）しかし、コネクタに後から端子を挿入する場合は、誤配線の危険性が絶無とはいえず、ワイヤーハーネスの品質検査に多大な時間とコストが掛かっていた。
【０００５】
この問題を解決するため、両持ちのピンを用いて長尺グロメットを拡張する装置（例えば、特許文献３参照）や、グロメットに複数のワイヤを通し、各ワイヤを両側から張り拡げ、長尺グロメットを拡張する装置（例えば、特許文献４）が提案されている。また、本発明者は実用新案登録第３１２０３４４号において、上記問題を解決する新たな長尺グロメット挿通装置を提案した。
【０００６】
【特許文献１】実開平４−９７６６５号
【特許文献２】特開平５−１６１２２９号
【特許文献３】特開２００１−２５１４０号
【特許文献４】特開２００４−３１２８５０号
【発明の開示】
【発明が解決しようとする課題】
【０００７】
上記の実用新案登録第３１２０３４４号の考案は、グロメットにワイヤーハーネスを挿通する装置において、一端にグロメット内径より小さい外径を有するロッド状のグロメット挿入部と、他端にワイヤーハーネスのコネクタ部を収納する空間を有するコネクタ収納部と、前記ロッド状のグロメット挿入部から前記コネクタ収納部に向かって外径が漸次増大するテーパー部とからなるグロメット挿入治具、並びに、該グロメット挿入治具に挿入されたグロメットを扱く装置であって、該装置の前面に、前記グロメット挿入治具の外径に応じて開口径が変化するグロメット係止部を備え、該グロメット係止部の後方に、グロメット挿入治具のグロメット挿入部先端に設けた連結部と連結し前記グロメット挿入治具を所定距離牽引する牽引部とを備えたグロメット挿入治具牽引装置とからなる長尺グロメット挿通装置である。この考案により、従来技術の問題点であった、両持ちの複数のピンを用いて長尺グロメットを拡張する装置における、ピンの束の片方の支持体を外してグロメットを挿入し、再度該支持体に各ピンを装着する作業を要するという作業性の悪さや、ピンに強度を持たせるためにピンの径を太くすると長尺グロメットをピンの束に挿入すること自体が困難になるという問題、及びグロメットに複数のワイヤを通して各ワイヤを張り拡げる装置における、グロメットに複数のワイヤを通しその複数のワイヤの一端をそれぞれ所定の位置にセットする煩雑な作業や、ワイヤーハーネス挿通後にグロメット内のワイヤーハーネスの隙間から当該ワイヤを引き抜く必要があるという問題も解決され、また、何れの装置においても、数本のピン若しくはワイヤで長尺グロメットの蛇腹部を拡張するため、グロメットのピン等が接している箇所が相対的に強く引き延ばされ、グロメットの部分的な損傷による耐久性低下への影響が懸念されるという問題も解決した。
【０００８】
上記考案によって、上記従来技術の問題点は略解決したが、上記考案においても、(1)グロメット挿入治具のストッパによるワイヤーハーネスの局部的な圧迫の問題、(2)グロメット係止部におけるグロメットの食い込みの問題、(3)グロメット挿入治具の耐摩耗性の問題があった。
この発明は、従来技術及び上記考案の問題点である、長尺グロメットにワイヤーハーネスを挿通する際にグロメットを局部的に引き延ばすことなく、ワイヤーハーネスにコネクタを付けた状態で長尺グロメットを挿通することができ、かつ、ワイヤーハーネスの局部的な圧迫の問題及びグロメット係止部におけるグロメットの食い込みの問題、グロメット挿入治具表面の滑り易さと耐磨耗性の問題を解決した長尺グロメット挿通装置及びそれを用いた長尺グロメット挿通方法を提供することを目的とする。
【課題を解決するための手段】
【０００９】
本発明に係る長尺グロメット挿通装置は、一端にグロメット内径より小さい外径を有するロッド状のグロメット挿入部と、他端にワイヤーハーネスのコネクタ部の収納空間を内部に有するコネクタ収納部と、前記ロッド状のグロメット挿入部から前記コネクタ収納部に向かって外径が漸次増大するテーパー部とからなるグロメット挿入治具、並びに、該グロメット挿入治具に挿入されたグロメットを扱く装置であって、該装置の前面に、前記グロメット挿入治具の外径に応じて開口径が変化するグロメット係止手段を備え、該グロメット係止手段の後方に、グロメット挿入治具のグロメット挿入部先端に設けた連結部と連結し前記グロメット挿入治具を所定距離牽引する牽引手段とを備えたグロメット挿入治具牽引装置とで構成される。
【００１０】
また、本発明に係るグロメット挿入治具のコネクタ収納部は、コネクタ収納部を通過した後のグロメットの自然収縮によりコネクタが引っ張られて収納部から脱落することを防止するための、少なくともコネクタ収納部側の形状が断面半円状若しくはＵ字状のストッパを備えている。
【００１１】
本発明に係るグロメット挿入治具のコネクタ収納部は、グロメット挿通時にコネクタが収納部から脱落するのを防止するため、前記ストッパに替えてコネクタ収納部の後端部に内向きにフランジを設け及び／又はコネクタ収納部の後半部を漸次細径化する円錐状に形成し、コネクタを収納するためにその一部が開閉可能な構造になっている。
【００１２】
さらに、本発明に係るグロメット挿入治具は、グロメットの素材であるゴムの粘着が少なく、耐摩耗性に優れたステンレス鋼を素材とし、治具表面を鏡面仕上げ処理したので、グロメットの挿通がスムーズであり、かつグロメット係止部での摩擦にも長期間耐えられるものになっている。
【００１３】
そして、本発明に係るグロメット係止手段は、係止片の先端部をグロメット挿入治具表面の粗面化を生じない素材とするとともに、グロメット挿入治具の外径に応じて開口径が変化する際に係止手段におけるグロメットの食い込みを生じない形状になっている。
【発明の効果】
【００１４】
本発明に係る長尺グロメット挿通装置によれば、ワイヤーハーネスをグロメットに挿通する際に最も障害となるコネクタ部分をグロメット挿通治具の内部に収納し、かつワイヤーハーネスが局部的に圧迫されることがなく、挿入治具の表面を鏡面仕上げ処理したことにより、グロメットが挿入治具の外側をスムーズに移動可能となり、コネクタの付いた状態のワイヤーハーネスを容易かつ短時間に挿通することができ、係止手段での摩擦にも長期間耐えられ、さらにグロメットの食い込みによる作業性低下を防止することが可能となる。
【発明を実施するための最良の形態】
【００１５】
以下、この発明の一実施形態について図１から図７に基づいて説明する。図１は本発明の長尺グロメット挿通装置の一例である。また、図２乃至５は本発明に用いる長尺グロメット挿入治具の実施例である。
【００１６】
前記挿入治具のコネクタ収納部には、グロメット挿通途中でコネクタが脱落しないように、開閉可能なストッパが設けられている。このストッパは、ワイヤーハーネスを局部的に圧迫しないように、少なくともコネクタ収納部側を断面半円状又はＵ字状とし、尖った角がない形状にしてある。特に、断面略円形の棒を曲げ加工し製作したストッパが好適である。当該ストッパの収納部側を角（かど）のない形状とすることにより、ワイヤーハーネスの一部がストッパと接触していても局部的な圧迫が避けられ、電線の被覆の損傷や電線自体（銅合金）の損傷や断線などの挿通時のトラブルが回避できる。また、前記ストッパの横断面が略円形でコネクタ収納部外側も断面半円状のストッパは、グロメット挿通時のグロメットとの接触面積が減少しグロメットとの摩擦抵抗が減少するので好適である。
【００１７】
前記グロメット挿入治具の、ロッド状のグロメット挿入部からコネクタ収納部に向かって外径が漸増するテーパー部の形状は、その断面の形状が、ロッド部側からコネクタ収納部に向かって緩やかな凹曲線を描き、コネクタ収納部の付近から凸曲線に変化する円錐状が好ましい。また、コネクタ収納部の後端部に、内向きにコネクタ脱落防止用のフランジを設け及び／又はコネクタ収納部の後半部を漸次細径化する円錐状に形成し、コネクタを収納するためにその一部が開閉可能な構造とすることができる。コネクタ収納部の後半部をいわゆる尻すぼみの形状とすることで、グロメットの収縮力により当該部分においてグロメットを前方に押し出そうとする推進力が生じ、併せてストッパの機能をも果たすことができる。
【００１８】
当該グロメット挿入治具の表面はグロメットとの摩擦抵抗が小さくなる構造及び素材が好ましい。具体的には、グロメットの素材であるゴムとの粘着性が少なく、かつグロメット及び係止部での摩擦に長期間耐えられる素材であることが好ましい。ステンレス鋼を素材とし、治具の表面を鏡面仕上げ処理することが特に好ましい。また、治具表面に許容される範囲の滑剤を塗布併用することも有効である。
【００１９】
なお、本発明に係る長尺グロメット挿入治具を用いて長尺グロメットを挿入する方法は、以下に述べる牽引装置に限定されず、本発明の目的を達成可能な牽引手段との組合せが可能であることは言うまでもない。
【００２０】
前記グロメット挿入治具と組み合わせて使用する牽引装置には、前記グロメット挿入治具に挿入されたグロメットを扱く（しごく）手段として、スプリング等で閉方向に付勢され、グロメット挿入治具の外径に従って開口寸法が変化するグロメット係止手段が装置前面に配設され、その後方に図１に示すようなグロメット挿入治具牽引手段（クランク機構）が設けられている。前記グロメット係止手段は図６乃至７に示すように、スプリング等の弾性体によって閉方向に付勢された２以上のグロメット係止片を備え、グロメット挿入治具の外径に応じて開口径が変化する際に当該各々の係止片がグロメット挿入治具の中心軸に対して放射状に移動する。本発明の係止手段には係止片の摺り合い部分が存在しないので係止手段におけるグロメットの食い込みを生じることがない。
【００２１】
前記各々の係止片のグロメット挿入治具と接触する先端部には、グロメット挿入治具の表面を粗面化しないように挿入治具の素材より軟質な素材からなる先端チップを取付けてある。好適には前記先端チップの素材はプラスチックである。また先端チップは回転可能なローラであってもよい。
【００２２】
また、前記グロメット挿入治具牽引手段としては、図１に示すようなクランク機構以外に、ピニオン・ラック、エアシリンダ、ボールスクリュー等の直線的牽引構造が適用可能である。
【図面の簡単な説明】
【００２３】
【図１】本発明に係るグロメット挿通装置の長手方向中央断面図である。
【図２】本発明のグロメット挿入治具の長手方向部分断面図である。
【図３】本発明のグロメット挿入治具であって、収納部側が角のない形状であるストッパの例を表す概念図である。
【図４】コネクタ収納部の後端部に内向きにフランジを設けたグロメット挿入治具の例を表す概念図である。
【図５】コネクタ収納部の後半部を漸次細径化する円錐状に形成したグロメット挿入治具の例を表す概念図である。
【図６】本発明のグロメット係止手段の例を表す概念図である。（係止片が２片のもの）
【図７】本発明のグロメット係止手段の例を表す概念図である。（係止片が４片のもの）
【符号の説明】
【００２４】
１  グロメット挿入治具
２  グロメット挿入治具牽引装置
３  グロメット挿入部
４  テーパー部
５  コネクタ収納部
６  グロメット挿入治具の連結部
７  コネクタ・ストッパ
８  グロメット係止手段
９  グロメット
１０  コネクタ
１１  ワイヤーハーネス
１２  牽引手段の連結部（カプラジョイント）
１３  牽引手段（クランク機構）
１４  フランジ
１５  コネクタ収納部後半部
１６  グロメット係止片
１７  グロメット係止片の先端チップ
１８  弾性体（スプリング）
２１  モータ
２２  カム板
２３  ボールベアリング
２４  牽引スライダー側面ガイド
２５  保護カバー
【図１】
2008044524.tif 000003
【図２】
2008044524.tif 000004
【図３】
2008044524.tif 000005
【図４】
2008044524.tif 000006
【図５】
2008044524.tif 000007
【図６】
2008044524.tif 000008
【図７】
2008044524.tif 000009